(57)【特許請求の範囲】
【請求項１】
オ−デイオパツクであって前記オーディオパックの内部に設けられるプライベートヘッダに前記オーディオパックを識別するサブストリームＩＤを含むオーディオパックが配列された所定のデ−タストリ−ムより成るＤＶＤオーディオ規格に沿って生成されたデータから前記オーディオパック内のオーディオデータをＰＣＭオーディオ信号に復号してリアルデータとしパケットヘッダとＣＩＰヘッダと前記リアルデータを収納する領域からなる構造にパケット化するに際し、そのパケットのデータフィールド内であってＣＩＰヘッダを除く実データ記録領域であるリアルデータ領域の内部に設けられた所定の領域に、前記パツクの種類を識別する識別情報を格納し、さらに前記オーディオデータの課金管理を行うための課金フラグと前記オーディオデータのコピー管理を行うためのコピーフラグの一方が格納可能とされると共に所定のプロトコルのフォーマットでパケット化するパケツト化処理手段を有することを特徴とする信号処理装置。
【請求項２】
請求項１の信号処理装置で生成された信号を受信し、前記パツクの種類を識別する識別情報に基づいてオーディオデータの識別を行う手段と、
前記オーディオデータの課金管理を行うための課金フラグと前記オーディオデータのコピー管理を行うためのコピーフラグの少なくともいずれか一方をデコードする手段と、
を有することを特徴とする信号処理装置。
【請求項３】
請求項１の信号処理装置で生成された信号を前記所定のプロトコルの規格のシリアルインタフエ−スを通じて伝送するようにしたことを特徴とする伝送方法。
【発明の詳細な説明】
【０００１】
【発明の属する技術分野】
本発明は、ＤＶＤオーディオやＤＶＤビデオなどの多重化されたデータストリームを、シリアルインタフェースを介して伝送するためのパケットの信号処理装置、それを伝送するための伝送方法に関する。
【０００２】
【従来の技術及び発明が解決しようとする課題】
データストリームをシリアルインタフェースを介して伝送する技術が知られている。
例えば、特開平１０−２８５２３４号公報、特開平１１−４５５１２号公報等に開示されるようにＭＰＥＧストリームにヘッダを付加して伝送される。
上記のデータストリームは一般に分割して伝送される。そのためヘッダの情報を用いてパケット抜けを処理することが必要になる。
ところで、近年、ＤＶＤオーディオフォーマットのようにＡパック、ＲＴＩ（リアルタイムインフォメーション信号）パック、ＳＰＣＴ（静止画信号）パックを含むオーディオファイルとＤＶＤ（ビデオ）ファイルとが多重化されたファイル構造をもつデータストリームを伝送することが求められるようになった。
このような多重化されたファイル構造をもつデータストリームを転送する場合には、特に、受信しやすいようにファイルおよびパック（以下、パックはパケットから構成されるとも記す。）トの種類の確認と、ファイルおよびパケットの種類に応じた分割、その転送速度の最適な設定、またはさらに複数のインタフェースへの分配の采配とファイル毎の著作権管理が行えることが重要な問題となっている。
そこで、本発明は、上記の問題点に鑑み、これらの問題点を解決した音声信号などを含むＤＶＤオーディオフォーマットやＤＶビデオフォーマットなどに基づく多重化されたデータストリームを、シリアルインタフェースを介して伝送する
ためのパケットの信号処理装置、それを伝送するための伝送方法を提供するものである。
【０００３】
【課題を解決するための手段】
本発明は上記目的を達成するために、以下の１）〜３）の手段より成る。
すなわち、
【０００４】
１）オ−デイオパツクであって前記オーディオパックの内部に設けられるプライベートヘッダに前記オーディオパックを識別するサブストリームＩＤを含むオーディオパックが配列された所定のデ−タストリ−ムより成るＤＶＤオーディオ規格に沿って生成されたデータから前記オーディオパック内のオーディオデータをＰＣＭオーディオ信号に復号してリアルデータとしパケットヘッダとＣＩＰヘッダと前記リアルデータを収納する領域からなる構造にパケット化するに際し、そのパケットのデータフィールド内であってＣＩＰヘッダを除く実データ記録領域であるリアルデータ領域の内部に設けられた所定の領域に、前記パツクの種類を識別する識別情報を格納し、さらに前記オーディオデータの課金管理を行うための課金フラグと前記オーディオデータのコピー管理を行うためのコピーフラグの一方が格納可能とされると共に所定のプロトコルのフォーマットでパケット化するパケツト化処理手段を有することを特徴とする信号処理装置。
２）請求項１の信号処理装置で生成された信号を受信し、前記パツクの種類を識別する識別情報に基づいてオーディオデータの識別を行う手段と、
前記オーディオデータの課金管理を行うための課金フラグと前記オーディオデータのコピー管理を行うためのコピーフラグの少なくともいずれか一方をデコードする手段と、
を有することを特徴とする信号処理装置。
３）請求項１の信号処理装置で生成された信号を前記所定のプロトコルの規格のシリアルインタフエ−スを通じて伝送するようにしたことを特徴とする伝送方法。
【０００５】
【発明の実施の形態】
以下、本発明の実施の形態につき、この好ましい実施例により説明する。図１はその実施例に係る信号処理装置、及び伝送方法の第１の実施例を示すブロック図、図２は図１のディスクプレーヤの処理を示すフローチャートである。
【０００６】
図１の例では、家庭内情報ネットワークのセンターを担う送信装置であるディスクプレーヤ１００と１つの受信端末装置である再生装置２００がそれぞれデータ転送インタフェース（Ｉ／Ｆ）２００ａ、２００ｂを有し、データ転送Ｉ／Ｆ２００ａ、２００ｂが２本のＩＥＥＥ１３９４規格のシリアルインタフェース１８８−１、１８８−２を介して接続されている。ディスクプレーヤ１００は、例えばＤＶＤオーディオディスクに記録されているオーディオ信号Ａと静止画（スチルピクチャ）信号ＳＰＣＴを読み出し、これをデータ転送Ｉ／Ｆ２００ａ、シリアルインタフェース１８８−１、１８８−２を介して再生装置２００に送信する。再生装置２００はこのオーディオ信号Ａと静止画信号ＳＰＣＴをシリアルインタフェース１８８−１、１８８−２、データ転送Ｉ／Ｆ２００ｂを介して受信して、再生する。このとき、一方のシリアルインタフェース１８８−１は受信又は送信用に選択的に使用され、他方のシリアルインタフェース１８８−２は送信専用に使用される。
【０００７】
図２を参照して図１のディスクプレーヤ１００の動作を説明する。まず、データ転送Ｉ／Ｆ２００ａと一方のシリアルインタフェース１８８−１とを受信モードに設定し（ステップＳ１）、次いでデータ転送Ｉ／Ｆ２００ａ、２本のシリアルインタフェース１８８−１、１８８−２を介して再生装置２００との間で双方向伝送を行う（ステップＳ２）。
次いで一方のシリアルインタフェース１８８−１を受信モードから送信モードに設定し（ステップＳ３）、次いで２本のシリアルインタフェース１８８−１、１８８−２を介して、転送レートが比較的高い信号を分散して再生装置２００に送信する（ステップＳ４）。すなわち、この例では他方のシリアルインタフェース１８８−２は常に送信モードに設定される。
【０００８】
送信データの具体例としては、ＤＶＤオーディオディスクにはオーディオ信号Ａの他にリアルタイムインフォメーション信号ＲＴＩ（例えばテキストデータ）と静止画信号ＳＰＣＴが記録されているので、オーディオ信号Ａをシリアルインタフェース１８８−１を介して伝送し、リアルタイムインフォメーション信号ＲＴＩと静止画信号ＳＰＣＴをシリアルインタフェース１８８−２を介して伝送する方法が考えられる。このように分散することにより前者のオーディオ信号Ａと後者のリアルタイムインフォメーション信号ＲＴＩと静止画信号ＳＰＣＴが同期再生される場合にはバッファ容量の制限を回避できるので多数の静止画、例えば８０枚から９９枚、を同期再生させることができる。なお、一方を受信モードに設定したステップＳ１において行う具体的な通信の例は、再生端末からのディスクの指定（リクエスト）、プレイコマンド等の操作指示である。
【０００９】
なお、シリアルインタフェースは２本に限定されず、例えば図３、図４に示すように４本のシリアルインタフェース１８８−１〜１８８−４（及びデータ転送インタフェースＩ／Ｆ２００ａ´、２００ｂ´）を用いてもよい。すなわち、まず、シリアルインタフェース１８８−１〜１８８−４の中の１本を受信モードに設定し（ステップＳ１１）、次いで、２本のシリアルインタフェース１８８−１、１８８−２を介して再生装置２００との間で双方向伝送を行う（ステップＳ１２）。次いで上記の受信モードのインタフェース１８８−１を双方向モードに設定し（ステップＳ１３）、次いで３本のシリアルインタフェース１８８−２〜１８８−４を介して、転送レートが比較的高い信号を分散して再生装置２００に送信する（ステップＳ１４）。
【００１０】
すなわち、この場合には例えば１本のシリアルインタフェース１８８−１を受信又は送信に選択的に使用し、他の３本のシリアルインタフェース１８８−２〜１８８−４を送信専用に使用するようにしてもよい。この場合には、例えば、オーディオ信号Ａとリアルタイムインフォメーション信号ＲＴＩと静止画信号ＳＰＣＴをそれぞれ３本のシリアルインタフェース１８８−２〜１８８−４を介して伝送し、再生端末との操作に関するデータを１本のシリアルインタフェース１８８−１を介して相互に伝送する方法が考えられる。
【００１１】
本実施例ではまた、ＩＥＥＥ１３９４規格の伝送方式に代えてＩＥＣ９５８規格のオーディオ対応フォーマットにも適用することができる。
ＩＥＣ９５８規格は、本実施例のＩＥＥＥ１３９４規格のように双方向への伝送方式と異なり、一方方向のみの伝送方式であり、本実施例のように複数のシリアルインタフェースを用いて双方向に伝送する場合には適用し易いものとなる。
更に、上記ＩＥＣ９５８規格のオーディオ対応フォーマットとは、ＩＥＥＥ１３９４規格におけるＩＥＣ９５８モードオーディオ対応フォーマット（ＡＭ８２４）であってもよく、ＩＥＥＥ１３９４規格の様々なモード、例えばＤＶＤビデオ対応フォーマットにも適用できる。
【００１２】
次に、図５を用いて課金フラグ、ゼロフラグ、ミュートフラグ、及びパックフラグの説明を行う。まず、送信側から受信側に対してパケットの種類に応じた「有料」、「無料」を示す課金フラグを各シリアルインタフェースを介して送信し、受信側ではこのフラグを見て、「有料」の場合、電子財布から課金を行う課金管理を行い（ステップＳ２１）、また、複数本のシリアルインタフェースの内、いくつかが不使用の場合やデータが「０」の場合には、送信側から受信側に対してそのシリアルインタフェースを介してゼロフラグを送信し、受信側ではこのフラグを見て（ステップＳ２２）、Ｙであれば受信処理しないようにし（ステップＳ２３）、また、音声信号Ａ以外のデータ、例えば静止画信号ＳＰＣＴやリアルタイムインフォメーションＲＴＩをあるシリアルインタフェースを介して送信する場合には受信側において音声信号用のＤ／Ａコンバータにより雑音が発生しないように、送信側から受信側に対してそのシリアルインタフェースを介してミュートフラグを送信し、受信側ではこのフラグを見て（ステップＳ２４）、Ｙであればミュート処理するようにする（ステップＳ２５）。
【００１３】
また、音声信号Ａ、静止画信号ＳＰＣＴ、リアルタイムインフォメーションＲＴＩ、ビデオ信号Ｖをあるシリアルインタフェースを介して送信する場合には受信側においてそれを即座にデコードして同期を取り易いように、送信側から受信側に対してそのシリアルインタフェースを介して信号種類識別フラグを送信し、受信側ではこのフラグを見て受信し（ステップＳ２６）、終了であれば（ステップＳ２７でＹ）終了する。
図８にステップＳ２６の具体的一例を示す。すなわち、信号種類識別フラグがオーディオ信号（ＤＶＤオーディオディスクのＡパック）であるか見て（ステップＳ３１）、ＹであればＡパックバッファに供給し（ステップＳ３２）、信号種類識別フラグがビデオ信号（ＤＶＤオーディオディスクのビデオパック）であるか見て（ステップＳ３３）、ＹであればＶパックバッファに供給し（ステップＳ３４）、信号種類識別フラグがＲＴＩ信号（ＤＶＤオーディオディスクのＲＴＩパック）であるか見て（ステップＳ３５）、ＹであればＲＴＩパックバッファに供給し（ステップＳ３６）、信号種類識別フラグがＳＰＣＴ信号（ＤＶＤオーディオディスクのＳＰＣＴパック）であるか見て（ステップＳ３７）、ＹであればＳＰＣＴパックバッファに供給し（ステップＳ３８）、その他であればデコーダバッファに供給する（ステップＳ３９）。
【００１４】
そして、上述した課金フラグ、ゼロフラグ、ミュートフラグ、又は／及び信号種類識別フラグ（パックフラグともいう）は、次のようなデータ配列に収納して送信する。
図６は、その送信を行うためのＩＥＥＥ１３９４規格のアイソクロナス（Isochronous）転送方式を説明するための図で、図６（ａ）はトランスポート・ストリームを示す。トランスポート・ストリームは、１８８バイトの固定パケットで、ここではＤＶＤオーディオ規格によるオーディオデータのビット列（Ａパック）やＤＶＤビデオ規格による画像データやオーディオデータなど（Ｖパック）が配列される。
【００１５】
図１１から図１４にここで配列されるＡパック、Ｖパック、ＲＴＩパック、及びＳＰＣＴパックのデータ構造を示す。
図１１に示すＰＣＭのＡパックはＤＶＤオーディオディスクのデータエリア内に記録されているものである。
このＰＣＭのＡパックは、２０４８バイト以下で構成され、その内訳は１４バイトのパックヘッダとＡパケットにより構成されている。Ａパケットは１７、９又は１４バイトのパケットヘッダと、プライベートヘッダと、１ないし２０１１バイトのオーディオデータにより構成されている。
【００１６】
プライベートヘッダは、
・８ビットのサブストリームＩＤと、
・ＵＰＣ、ＥＡＮ、ＩＳＲＣ内の３ビットの保留領域と、
・ＵＰＣ、ＥＡＮ、ＩＳＲＣ内の５ビットのＵＰＣ／ＥＡＮ／ＩＳＲＣ  番号と、
・ＵＰＣ、ＥＡＮ、ＩＳＲＣ内の８ビットのＵＰＣ／ＥＡＮ／ＩＳＲＣ  データと、
・８ビットのプライベートヘッダ長と、
・１６ビットの第１アクセスユニットポインタと、
・８バイトのオーディオデータ情報（ＡＤＩ）と、
・０〜７バイトのスタッフィングバイトと、
により構成されている。
【００１７】
ＡＤＩ（オーディオデータ情報部）は、
・１ビットのオーディオ・エンファシス・フラグと、
・１ビットの保留領域と、
・１ビットのステレオ再生モードと、
・１ビットのダウンミクスコード有効性と、
・４ビットのダウンミクスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャネルタイプと、
・３ビットのグループ「２」のビットシフトと、
・５ビットのチャネル割り当て情報と、
・８ビットのダイナミックレンジ制御情報と、
・１６ビットの保留領域と、
により構成されているものである。
【００１８】
図１２に示すＶパックは、ＤＶＤビデオディスクのデータエリア内に記録されているものである。
このＶパックは、２０４８バイト以下で構成され、その内訳は１４バイトのパックヘッダとユーザデータパケットにより構成されている。パックヘッダは４バイトのパックスタートと、６バイトのＳＣＲと、３バイトのＭＵＸレート（多重転送レート）と、１バイトのスタッフィングにより構成されている。
【００１９】
図１３に示すＲＴＩパックはＤＶＤオーディオディスクのデータエリア内に記録されているものである。
このＲＴＩパックは、２０４８バイト以下で構成され、その内訳は１４バイトのパックヘッダとＲＴＩパケットにより構成されている。ＲＴＩパケットは１７、９又は１４バイトのパケットヘッダと、ＲＴＩプライベートヘッダと、１ないし２０１５バイトのＲＴＩデータにより構成されている。
【００２０】
ＲＴＩプライベートヘッダは、
・８ビットのサブストリームＩＤと、
・２バイトの保留領域と、
・８ビットのプライベートヘッダ長と、
・４ビットの保留領域と、
・４ビットのＲＴＩ情報ＩＤと、
・０〜７バイトのスタッフィングバイトと、
により構成されている。
【００２１】
図１４に示すＳＰＣＴパックは、ＤＶＤオーディオディスクのデータエリア内に記録されているものである。
このＳＰＣＴパックは、２０４８バイト以下で構成され、その内訳は１４バイトのパックヘッダとＳＰＣＴパケットにより構成されている。ＳＰＣＴパケットは２２、１９又は９バイトのパケットヘッダと、１ないし２０２５バイトのＳＰＣＴデータにより構成されている。
【００２２】
再び、図６において、上述の１８８バイトよりなる固定パケットは、その先頭にソース・パケット・ヘッダと呼ばれるタイムスタンプが付けられる[図６（ｂ）]。受信側では、このタイムスタンプの時刻に合わせて音声や動画が再生されるようになっている。
そして、これらのデータはそれぞれ４８バイトの複数のデータ・ブロックに分割される[図６（ｃ）]。その分割方法は、１９２バイト×１ブロック、９６バイト×２ブロック、４８バイト×４ブロック、２４バイト×８ブロックの４通りである。
【００２３】
次に、複数のデータ・ブロックがまとめられて、一つのアイソクロナス転送パケットが作られる。このまとめられ方は、１２５μｓを１サイクルとし、この１サイクル毎に収まる数の部録に順次まとめられ、そのブロックの先頭に後述するＩＥＥＥ１３９４用のパケットヘッダが付加される。図６（ｄ）に４８バイトづつに分割されたデータが３ブロック及び２ブロックにまとめられた状態が示されている。
【００２４】
そして、このデータ転送を行う時には、図７に示すように、先頭にアービトレイションが付加され、これに続いてサイクルスタートパケットが配列され、更に、このサイクルスタートパケットに続いて所定間隔毎に１２５ μｓのパケットが繰り返し配列されて転送されるようになっている。
【００２５】
この１２５ μｓ毎のパケットは、パケットヘッダと、データフィールドと、３２ビットのデータエラー検出符号とにより構成されている。
パケットヘッダは、
・１６ビットのデータ長情報と、
・２ビットの後述するＣＩＰ（Common Isochronous Packet）ヘッダの  有無を示すタグと、
・６ビットのパケットが伝送されるチャネル割り当て情報と、
・４ビットの処理コードを示すトランザクションコードと、
・４ビットの同期コードと、
・３２ビットのパケットヘッダエラー検出符号と、
より構成される。
【００２６】
データフィールドは、６４ビットのＣＩＰヘッダと３２ビットのリアルデータのヘッダとリアルデータとから構成される。
リアルデータのヘッダは８ビットのＩＤと１６ビットの応用情報と８ビットの保留領域から構成される。
８ビットのＩＤは、
・４ビットのシリアルインタフェースの総数と、
・４ビットのシリアルインタフェースの番号と、
により構成される。
１６ビットの応用情報は、
・４ビットのパックＩＤと、
・１ビットのゼロフラグと、
・１ビットのミュートフラグと、
・８ビットの課金フラグと、
・２ビットのコピーフラグと、
により構成される。
【００２７】
次に、図９はディスクプレーヤ１００の具体的な実施例を示し、ＤＶＤオーディオディスクとＤＶＤビデオディスクなどを再生可能なユニバーサルプレーヤを示している。ユニバーサルプレーヤでは制御部１４の制御及び操作部１５、リモコン１６の操作に基づいてＤＶＤオーディオディスク、ＤＶＤビデオディスク、ＤＶＤ−ＲＡＭディスクなどのディスク１に記録されているデータがドライブ装置２により再生されて復調回路２Ｂにより復調される。ＤＶＤオーディオディスクやＤＶＤビデオビデオディスクから再生されたビデオ（Ｖ）パックとＤＶＤオーディオディスクから再生された静止画パックは、静止画／Ｖパック・デコーダ３によりＤＶＤデコードされてビデオストリームに変換される。なお、このビデオストリームは、元々ＣＳＳ（コンテンツ・スクランブル・システム）方式でスクランブルされている。
【００２８】
そして、図１に示すモニター用の出力端子５５を介して外部の表示器（不図示）に表示させ、あるいはオーディオ出力として取り出す場合には、このビデオストリームが伸長／画像変換部４により伸長、デスクランブルなどされ、次いでＤ／Ａ変換部５を介してＶパックは、ビデオ信号／サブピクチャ信号／オーディオ信号として出力され、静止画ＳＰＣＴパックは、ビデオ信号として出力される。他方、図１に示す再生装置２００に転送する場合には２通りあり、第１の方法では、伸長／画像変換部４により伸長、デスクランブルなどされたデータがデータ配列部６によりパック方式でデータ配列され、次いで２本のデータ転送Ｉ／Ｆ７−１、７−２及びＩＥＥＥ１３９４又はＩＥＣ９５８のシリアルインタフェースを介して再生装置２００に転送される。第２の方法では、静止画／Ｖパック・デコーダ３によりデコードされたスクランブルなしのビデオストリームがデータ転送Ｉ／Ｆ７−１、７−２及びＩＥＥＥ１３９４又はＩＥＣ９５８のシリアルインタフェースを介して再生装置２００に転送される。
【００２９】
また、ＤＶＤオーディオディスク、ＤＶＤ−ＲＡＭディスクから再生されたオーディオＡパックと、ＲＴＩパックは、Ａパック／ＲＴＩパックデコーダ８によりＤＶＤデコードされてＤＶＤオーディオストリームに変換され、また表示信号生成部１１を介して文字情報／リアルタイムテキスト情報ＲＴＩに変換される。なお、このＤＶＤオーディオストリームは、元々ＣＳＳＩＩ方式でスクランブルされている。
【００３０】
そして、オーディオ信号を図１の出力端子５５を介して取り出し外部のスピーカ（不図示）に供給する場合には、このオーディオストリームはＰＣＭ変換／オーディオ信号処理部９によりＰＣＭ変換、デスクランブルなどされてＰＣＭ信号に変換され、次いでＤ／Ａ変換部１０を介して出力される。また、ＲＴＩを外部の表示器（不図示）に表示させる場合には、表示信号生成部１１により変換された出力信号が供給される。他方、図１の再生装置２００に転送する場合にもビデオの場合と同様に２通りあり、第１の方法では、ＰＣＭ変換／オーディオ信号処理部９によりＰＣＭ変換、デスクランブルなどされたＰＣＭデータがデータ配列部１２によりパック方式でデータ配列され、次いで２本のデータ転送Ｉ／Ｆ１３−１、１３−２及びＩＥＥＥ１３９４又はＩＥＣ９５８のシリアルインタフェースを介して再生装置２００に転送される。
【００３１】
第２の方法では、Ａパック／ＲＴＩパックデコーダ８によりデコードされてスクランブルなしのＤＶＤオーディオストリームがデータ転送Ｉ／Ｆ１３−１、１３−２及びＩＥＥＥ１３９４又はＩＥＣ９５８のシリアルインタフェースを介して再生装置２００に転送される。
【００３２】
また、図１０は受信装置２００の他の例で、図９に示すユニバーサルプレーヤ１００により転送されたデータを再生する再生装置を示し、ユニバーサルプレーヤ１００によりシリアルインタフェースを介して転送されたデータは、データ転送Ｉ／Ｆ２１−１、２１−２を介して受信される。データ転送Ｉ／Ｆ２１−１、２１−２は、ユニバーサルプレーヤ１００により転送されたヘッダのフラグに基づいて制御部３２によりＤＶＤデコーダ２２のバッファ２２Ｖ、Ａパック再生部２３のバッファ２３Ｖ、Ｖパック再生部２４のバッファ２４Ｖ、ＲＴＩパック再生部２５のバッファ２５Ｖ、及びＳＰＣＴパック再生部２６のバッファ２６Ｖのいずれかに分配する。すなわち、図７に示す、上述したリアルデータのヘッダ１６ビットの応用情報の４ビットのパックＩＤによりＡパックと識別した場合は、Ａパック再生部２３のバッファ２３Ｖに、Ｖパックと識別した場合は、Ｖパック再生部２４のバッファ２４Ｖに、ＲＴＩパックと識別した場合は、ＲＴＩパック再生部２５のバッファ２５Ｖに、ＳＰＣＴパックと識別した場合は、ＳＰＣＴパック再生部２６のバッファ２６Ｖにそれぞれ分配する。もし、リアルデータのヘッダ１６ビットの応用情報の４ビットのパックＩＤが付加されていない場合は、ＤＶＤデコーダ２２のバッファ２２Ｖに供給される。操作部３３は、プレイなどの操作を行うためのものである。
【００３３】
このように、リアルデータのヘッダ１６ビットにパックＩＤを設けることにより、音声信号Ａ、静止画信号ＳＰＣＴ、リアルタイムインフォメーションＲＴＩ、ビデオ信号Ｖを受信する場合には受信側においてそれを即座にデコードできるため、例えば静止画ＳＰＣＴと音声Ａの同期を取るために予め多量の静止画信号を静止画バッファに取り込む必要がなくなり、従来バッファ容量により制限されていた静止画の同期再生の制限が低減される。また、ビデオ動画Ｖ（音声付き）とオーディオＡが同時に取り出せ、同時に再生できるようになり、それぞれが別々に再生しなければならない再生の制限が解消される。
また、上記８ビットのＩＤにより、使用されるシリアルインタフェースの総数を検出して、シリアルインタフェースの番号により使用される番号を連続的に受信するようにしている。また、ゼロフラグと、ミュートフラグと、課金フラグを参照するようにしている。課金フラグは課金管理部３４で処理される。コピーフラグはこの場合、使用されない。
なお、リアルデータのヘッダにパックＩＤを設ける代わりに、ＩＥＥＥ１３９４用ヘッダ（図６）にそれを設けてもよい。
【００３４】
また、上記各実施例では、受信装置を再生装置として説明したが、それに限らず、記録装置であってもよい。その場合には、さらにコピー管理フラグが参照される。
また、上述の実施例におけるインタフェースは、複数接続可能なインタフェースであり、多量のデータをより高速に転送させることを念頭におき、複数のインタフェースを接続した構成で説明したが、それほど多量のデータを高速転送することを望まないならば、双方向転送可能なＩＥＥＥ１３９４規格のインタフェースを一個用いるようにしてもよい。
また、上記実施例ではリアルデータ（図７）がパック方式で配列した例を説明したが、ＩＥＣ９５８モードオーディオ対応フォーマットでは、ラベルと２４ビットデータが順序よく配列されるのであって、各種方式が採用される可能性がある。
【００３５】
【発明の効果】
以上説明したように、本発明によれば、シリアル伝送する場合に、例えばＤＶＤオーディオやＤＶＤビデオ等の所定のデータストリームをパックの種類別に分けて所定のヘッダを付加してＩＥＥＥ１３９４等のパケットに変換して、必要な場合に分配して転送するようにしたので、パック毎に適切な転送速度および転送方法を設定できるとともにパックの属するファイル毎に設けられたコピー管理が正確に行えるなど、効率的な伝送方法を提供できる等のさまざまな効果を奏する。
【図面の簡単な説明】
【  図１】本発明に係る伝送方法、信号処理装置（送信装置、受信装置）の第１の実施例を示すブロック図である。
【  図２】図１のディスクプレーヤの処理を示すフローチャートである。
【  図３】第２の実施形態の伝送方法、信号処理装置（送信装置、受信装置）を示すブロック図である。
【  図４】図３のディスクプレーヤの処理を示すフローチャートである。
【  図５】図１、図３の受信装置の処理を示すフローチャートである。
【  図６】ＩＥＥＥ１３９４規格におけるアイソクロナス転送方式を説明するための図である。
【  図７】転送時のデータ配列の詳細図である。
【  図８】図５のフローチャートの一部を詳細に示すフローチャートである。
【  図９】図１、図３のプレーヤの他の例を示すブロック図である。
【  図１０】図１、図３の受信部の他の例を示すブロック図である。
【  図１１】ＤＶＤオーディオ規格によるオーディオデータのリニアＰＣＭのＡパックのデータ構造である。
【  図１２】ＤＶＤビデオ規格によるデータのデータ構造である。
【  図１３】ＤＶＤオーディオ規格によるのＲＴＩパックのデータ構造である。
【  図１４】ＤＶＤオーディオ規格によるのＳＰＣＴパックのデータ構造である。
【符号の説明】
１００   ディスクプレーヤ（送信装置）
２００   再生装置（受信装置）
１８８−１〜１８８−４ シリアルインタフェース
７−１〜７−２、１３−１〜１３−２、２００ａ、２００ａ´ データ転送インタフェース（送信手段）
２１−１〜２１−２、２００ｂ、２００ｂ´ データ転送インタフェース（受信手段）
【図１】
0003767345.tif 000002
【図２】
0003767345.tif 000003
【図３】
0003767345.tif 000004
【図４】
0003767345.tif 000005
【図５】
0003767345.tif 000006
【図６】
0003767345.tif 000007
【図７】
0003767345.tif 000008
【図８】
0003767345.tif 000009
【図９】
0003767345.tif 000010
【図１０】
0003767345.tif 000011
【図１１】
0003767345.tif 000012
【図１２】
0003767345.tif 000013
【図１３】
0003767345.tif 000014
【図１４】
0003767345.tif 000015